【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
各窓が、少なくとも１つのエレクトロクロミック窓、該少なくとも１つのエレクトロクロミック窓のための電圧又は電流ドライバ、及び該窓に対してローカルな第１の制御システムを有する複数の窓と、
複数の窓コントローラであって、各窓コントローラが、前記複数の窓のうちの１又は２以上に結合するように構成され、かつ該窓コントローラに対してローカルであって該複数の窓のうちの該１又は２以上のための第２の制御システムを有する前記複数の窓コントローラと、
前記複数の窓コントローラの各々に結合するように構成され、ネットワークに結合するように構成され、かつ前記複数の窓のための第３の制御システムを有する指令及び通信デバイスであって、該複数の窓の制御が、該複数の窓、該複数の窓コントローラ、該指令及び通信デバイス、及び該ネットワークの一部分にわたって分散され、前記ネットワークに結合するサーバは、複数の建物内のスマート窓から情報を集めて、プロファイル又はモードを展開し、分散された前記複数の窓の制御が前記サーバ内に展開されたプロファイル又はモードの一部に基づいている、前記指令及び通信デバイスと、
を含むことを特徴とする分散型デバイス制御システム。
【請求項２】
光、音、画像、ビデオ、温度、振動、運動、又は煙検出のための少なくとも１つのセンサを含む前記複数の窓の各々と、
前記複数の窓コントローラのうちの１つに結合するための無線インタフェースを有する前記複数の窓の各々と、
を更に含むことを特徴とする請求項１に記載の分散型デバイス制御システム。
【請求項３】
前記複数の窓からの情報と前記ネットワークからの情報とを組み込む適応アルゴリズムを備えた規則エンジンを有する前記指令及び通信デバイスの前記第３の制御システム、
を更に含むことを特徴とする請求項１に記載の分散型デバイス制御システム。
【請求項４】
入力情報又は制御出力のために少なくとも１つの第三者デバイスに結合するように構成された前記複数の窓コントローラの各々、
を更に含むことを特徴とする請求項１に記載の分散型デバイス制御システム。
【請求項５】
前記ネットワークが利用可能である時にシステム通信を経路指定する前記指令及び通信デバイスと、
前記ネットワークが利用不能である時に前記複数の窓を少なくとも部分的に制御する前記指令及び通信デバイスの前記第３の制御システムと、
を更に含むことを特徴とする請求項１に記載の分散型デバイス制御システム。
【請求項６】
デバイス又はネットワーク故障の事象において作動の継続性を提供する時間バウント式又は事象バウンド式命令を格納するように構成された前記指令及び通信デバイス、前記複数の窓コントローラ、及び前記複数の窓、
を更に含むことを特徴とする請求項１に記載の分散型デバイス制御システム。
【請求項７】
前記複数の窓の各々が、前記複数の窓コントローラのうちの１つによって無効にされるか又は前記指令及び通信デバイスによって無効にされない限り、前記第１の制御システムの第１の規則に従って作動するように構成され、
前記窓コントローラの各々が、前記指令及び通信デバイスによって無効にされない限り、前記第２の制御システムの第２の規則に従って作動するように構成され、
前記指令及び通信デバイスは、前記ネットワークの前記部分によって無効にされない限り、前記第３の制御システムの第３の規則に従って作動するように構成される、
ことを特徴とする請求項１に記載の分散型デバイス制御システム。
【請求項８】
窓のための第３の制御システムを有し、該窓を制御する際に使用するための情報を取得するためにネットワークに結合するように構成された指令及び通信デバイスと、
前記指令及び通信デバイスに結合するように構成された複数の窓コントローラであって、各窓コントローラが、前記窓のための第２の制御システムを有する前記複数の窓コントローラと、
前記複数の窓コントローラのうちの少なくとも１つに結合するように構成された複数のエレクトロクロミック窓であって、該複数のエレクトロクロミック窓の各エレクトロクロミック窓が、該エレクトロクロミック窓のための第１の制御システムを有し、前記指令及び通信デバイスの前記第３の制御システムと、前記複数の窓コントローラのうちの各々の前記第２の制御システムと、該複数のエレクトロクロミック窓のうちの各々の該第１の制御システムと、前記ネットワークから取得可能な前記情報とが、分散型制御システムを形成し、前記ネットワークに結合するサーバは、複数の建物内のスマート窓から情報を集めて、プロファイル又はモードを展開し、分散された前記複数の窓の制御が前記サーバ内に展開されたプロファイル又はモードの一部に基づいている、前記複数のエレクトロクロミック窓と、
を含むことを特徴とする分散型デバイス制御システム。
【請求項９】
前記ネットワークに適用可能なファイヤウォール及びマルウェア保護を組み込んだ前記指令及び通信デバイス、
を更に含むことを特徴とする請求項８に記載の分散型デバイス制御システム。
【請求項１０】
前記複数の窓コントローラの各々又は前記複数のエレクトロクロミック窓の各々を認証するように構成された前記指令及び通信デバイスと、
前記ネットワークに対してそれ自体を認証するように構成された前記指令及び通信デバイスと、
を更に含むことを特徴とする請求項８に記載の分散型デバイス制御システム。
【請求項１１】
１又は２以上の窓コントローラ又はエレクトロクロミック窓の追加又は削除によってスケーラブルである分散型制御システム、
を更に含むことを特徴とする請求項８に記載の分散型デバイス制御システム。
【請求項１２】
前記複数のエレクトロクロミック窓又は前記複数の窓コントローラにセンサを追加することによって拡張可能である分散型制御システム、
を更に含むことを特徴とする請求項８に記載の分散型デバイス制御システム。
【請求項１３】
セキュアソケット層認証証明書を使用して前記ネットワークを通じてハンドシェークを実行するように構成された前記指令及び通信デバイス、
を更に含むことを特徴とする請求項８に記載の分散型デバイス制御システム。
【請求項１４】
前記複数のエレクトロクロミック窓を制御するために前記ネットワークからユーザ要求を伝達するように構成された前記指令及び通信デバイス及び前記複数の窓コントローラ、  を更に含むことを特徴とする請求項８に記載の分散型デバイス制御システム。
【請求項１５】
前記指令及び通信デバイスの前記第３の制御システムが、前記ネットワークから天気情報を収集し、当該天気情報の少なくとも一部に基づき前記複数の窓を制御するよう構成されている、請求項１に記載の分散型デバイス制御システム。
【請求項１６】
前記複数の窓コントローラのそれぞれの前記第２の制御システムが、前記複数の窓の少なくとも１つを制御するために、前記複数の窓の少なくとも１つの前記第１の制御システムをオーバライドするよう構成されている、請求項１に記載の分散型デバイス制御システム。
【請求項１７】
前記指令及び通信デバイスの前記第３の制御システムが、前記複数の窓の少なくとも１つを制御するために、前記複数の窓の少なくとも１つの前記第１の制御システム及び前記複数の窓コントローラの少なくとも１つの前記第２の制御システムをオーバライドするよう構成されている、請求項１に記載の分散型デバイス制御システム。
【請求項１８】
前記複数のエレクトロクロミック窓の少なくとも１つ及び前記第１の制御システムが、前記エレクトロクロミック窓で第１のユーザ入力を受信するよう構成され、
前記複数の窓コントローラの少なくとも１つ及び前記第２の制御システムが、前記窓コントローラで第２のユーザ入力を受信するよう構成され、
前記指令及び通信デバイス及び前記第３の制御システムが、前記指令及び通信デバイスで第３のユーザ入力を受信し且つ前記ネットワークから第４のユーザ入力を受信するよう構成された、請求項８に記載の分散型デバイス制御システム。
【請求項１９】
前記第１の制御システム、前記第２の制御システム、及び前記第３の制御システムが、協働して、前記エレクトロクロミック窓からのセンサ情報と、ユーザ入力と、前記ネットワークからの情報との組み合わせに基づき、前記複数のエレクトロクロミック窓を制御する、請求項８に記載の分散型デバイス制御システム。
【請求項２０】
前記第１の制御システム、前記第２の制御システム、及び前記第３の制御システムが、協働して、前記エレクトロクロミック窓の透過率を制御することによって、建物の内部の温度を制御する、請求項８に記載の分散型デバイス制御システム。